(57)【特許請求の範囲】
【請求項１】
対象から採取された固体組織または腫瘍組織の試料における前立腺癌細胞の有無を決定する方法であって、該方法は前記試料におけるビリンの発現のレベルを免疫化学的にインビトロで決定することを含んでなり、
前記試料におけるビリンの存在が対象に前立腺癌細胞が存在することを示唆し、前記試料におけるビリンの欠如が対象に前立腺癌細胞が存在しないことを示唆する、方法。
【請求項２】
組織試料は前立腺の組織または腫瘍組織試料である、請求項１に記載の方法。
【請求項３】
ビリンの発現レベルは免疫組織化学によって決定される、請求項１又は２に記載の方法。
【請求項４】
ビリンの発現レベルはイムノブロッティングまたはＥＬＩＳＡによって決定される、請求項１又は２に記載の方法。
【請求項５】
前記組織試料において、前立腺特異的抗原（ＰＳＡ）、前立腺特異的酸性ホスファターゼ（ＰＳＡＰ）、ｐ６３、α-メチルアシル-コエンザイム−Ａラセマーゼ（ＡＭＡＣＲ）、Ｐ５０４Ｓ、サイトケラチン５／６（ＣＫ５／６）、高分子量サイトケラチン３４βＥ１２（３４ｂＥ−１２）、クロモグラニン、ＣＤＸ−２、サイトケラチン７（ＣＫ７）及びサイトケラチン２０（ＣＫ２０）のタンパク質のうちの少なくとも１つの発現レベルを決定することを更に含む、請求項１から４の何れか一項に記載の方法。
【請求項６】
ＰＳＡ、ＰＳＡＰおよび／またはＡＭＡＣＲの発現レベルが決定される、請求項５に記載の方法。
【請求項７】
ＣＤＸ-２の発現レベルが更に決定される、請求項６に記載の方法。
【請求項８】
対象から採取された固体組織または腫瘍組織の試料において前立腺癌細胞の有無を免疫化学的にインビトロで決定するための、ビリンを含む前立腺癌バイオマーカーのパネルの使用であって、前記試料におけるビリンの存在が対象に前立腺癌細胞が存在することを示唆し、前記試料におけるビリンの欠如が対象に前立腺癌細胞が存在しないことを示唆する、使用。
【請求項９】
前記パネルがＰＳＡ、ＰＳＡＰおよび／またはＡＭＡＣＲを更に含む、請求項８に記載の使用。
【請求項１０】
対象から採取された固体組織または腫瘍組織の試料において前立腺癌細胞の存在を免疫化学的に決定するための診断用キットであって、前記キットは抗ビリン抗体、及び該抗体を用いてビリンの存在を該組織において免疫化学的に検出するために役立つ少なくとも一の試薬を含んでなり、前記試料におけるビリンの存在が対象に前立腺癌細胞が存在することを示唆し、前記試料におけるビリンの欠如が対象に前立腺癌細胞が存在しないことを示唆する、キット。
【請求項１１】
前立腺特異的抗原（ＰＳＡ）、前立腺特異的酸性ホスファターゼ（ＰＳＡＰ）、ｐ６３、α−メチルアシル−コエンザイム−Ａラセマーゼ（ＡＭＡＣＲ）、Ｐ５０４Ｓ、サイトケラチン５／６（ＣＫ５／６）、高分子量サイトケラチン３４βＥ１２（３４ｂＥ−１２）、クロモグラニン、ＣＤＸ−２、サイトケラチン７（ＣＫ７）及びサイトケラチン２０（ＣＫ２０）の１又は複数のタンパク質に対する１又は複数の別の一次抗体を更に含む、請求項１０に記載の診断用キット。
【請求項１２】
タンパク質がＰＳＡ、ＰＳＡＰおよび／またはＡＭＡＣＲである、請求項１１に記載の診断用キット。
【請求項１３】
ＣＤＸ-２またはＣＫ２０に対する抗体を更に含む、請求項１０又は１２に記載の診断用キット。
【発明の詳細な説明】
【技術分野】
【０００１】
本発明は、前立腺癌に関する。特に、本発明は、新規な前立腺バイオマーカーであるビリン、及び前立腺癌の改良された検出のためにビリンを含んで成る組成物に関する。
【背景技術】
【０００２】
前立腺癌は、男性の最も一般的な種類の癌である。癌が前立腺に限定されている前立腺癌の早期発見は、根治的前立腺切除術（手術）が、治癒の可能性が最も高い。前立腺特異性抗原（ＰＳＡ）は、有力な腫瘍マーカーと考えられており、ほとんどの意図と目的のために器官特異的である。しかしながら、ＰＳＡは癌特異的でない。前立腺癌をもつ男性と良性前立腺疾患をもつ男性のＰＳＡ濃度には、相当なオーバーラップがある。ＰＳＡは、器官非限定的前立腺癌をもつ男性（手術の恩恵をうけない男性）から、器官限定的前立腺癌をもつ男性（手術の恩恵をうける男性）を区別できないかもしれない。従って、ＰＳＡは、根治的前立腺切除術のための対象を選択する前立腺癌バイオマーカとしては有効ではなく、新規な前立腺癌バイオマーカーの同定が前立腺癌のより良好な診断、特徴づけ及び治療のために必要とされる。
【０００３】
ビリンは、腸の微絨毛のアクチンと関係する主要タンパク質である。その存在は、消化系（食道、腸、胆汁系及びすい臓）の刷子縁と腎臓において示されている。それが、胃腸管と肺の神経内分泌腫瘍のバイオマーカーとして、転移性結腸癌をヒトの他の器官由来の癌と鑑別診断するために使われている。
【０００４】
抗体マイクロアレイを使用するタンパク質プロファイルイングによって、前立腺癌血清中の潜在的なバイオマーカの同定を目的とする研究は、ビリンのレベルが前立腺癌の対象と対照の血清試料の間で有意に異なることを証明した (Miller JC, Zhou H, Kwekel J, Cavallo R, Burke J, Butler EB, Teh BS, Haab BB: Antibody microarray profiling of human prostate cancer sera: antibody screening and identification of potential biomarkers, Proteomics 2003, 3:56-63)。しかしながら、今のところ、ビリンも、前立腺と前立腺癌の組織においてビリンが存在することは証明されていない(Goldstein, NS. Immunophenotypic characterization of 225 prostate adenocarcinomas with intermediate or high Gleason scores. Am J Clin Pathol. 2002 Mar;117(3): 471-7; \[Hameed, O.\], Humphrey, PA. Immunohistochemistry in diagnostic surgical pathology of the prostate. Semin Diagn Pathol. 2005 Feb;22(1): 88-104; Paner GP, Luthringer DJ, Amin MB. Best practice in diagnostic immunohistochemistry: prostate carcinoma and its mimics in needle core biopsies. Arch Pathol Lab Med. 2008 Sep;132(9): 1388-96)。
【発明の概要】
【０００５】
本発明は、対象における前立腺癌の存在をインビトロで決定する方法及びキットを提供する。本発明の方法は、固体組織と腫瘍の試料（すなわち、血液試料を除く、インビトロの対象から採取されたもの）のビリンの発現レベルを免疫化学的に決定することを含む。特に、本発明は前立腺組織及び前立腺腫瘍の試料におけるビリンの発現レベルの決定に関する。後者の試料でのビリンの発現レベルの決定は、診断医が癌または陰性（例えば、正常又は癌がない）の可能性の診断と関連づけることができる情報を提供する。
また、本発明の態様は以下を含む：特定の治療（例えば根治的前立腺切除術または非侵襲性治療的処置）のための対象を選択する方法であって、前記選択は前記対象から採取された前立腺の試料のビリンの発現レベルをインビトロで免疫化学的に決定することに基づく方法。
【図面の簡単な説明】
【０００６】
【図１】ビリン、前立腺特異性抗原（ＰＳＡ）とＣＤＸ-２特異的抗体を有する前立腺癌組織試料の免疫組織化学的染色（ＩＨＣ）の結果を示す。
【発明の詳細な説明】
【０００７】
本発明は、ビリンを発現する前立腺癌細胞を予期せずして見いだしたことに関する。
【０００８】
したがって、本発明の第１の態様は対象の前立腺癌を検出する方法であって、前記対象から採取された前立腺又は他の固体組織又は腫瘍の試料にビリンが存在することを免疫化学的にインビトロで決定することを含む方法に関する。
本願明細書において使用する「対象」は、健康、すなわち正常なヒトの雄個体であっても、又は病気の雄個体、すなわち患者であってもよい。
【０００９】
「前立腺癌」は、特定の患者の範囲内で前立腺の腫瘍（例えば悪性新生物）に関係する。ここで、腫瘍は上皮起源のものである。非限定的に使用される「前立腺癌」なる用語は限局性及び転移性前立腺癌を含む。「前立腺癌」なる用語は、「限局性」又は「転移性」なる用語で、腫瘍の異なる種類を区別してもよく、「限局性」は起源の母腫瘍を指し、「転移性」は起源の母腫瘍から拡散した腫瘍を指す。ある実施態様において、本発明は、ヒトの体の組織及び前立腺以外の腫瘍の試料中に、前立腺癌起源の転移性癌細胞を検出したことに関する。
【００１０】
多数の種類の前立腺癌があり、この状態は前立腺の多数の異なる部分にしばしば存在する。
前立腺癌の前駆体は、前立腺の上皮細胞間の新形成として知られており、更に、これは前立腺内の多数の異なる場所において見いだされる。多数の異なる種類の前立腺癌があるにもかかわらず、膨大な大多数（約９５％）は腺癌として知られている種類のものである。
これが最も多く広まったため、腺癌が前立腺癌と同義になっている。したがって、ある実施態様において、本発明は、対象の前立腺腺癌の存在を決定することに関する。
【００１１】
別の実施態様において、本発明は、対象の前立腺小細胞癌の存在を決定することにも関する。この種の癌は小円形細胞から構成され、典型的には神経細胞を形成する。小細胞癌は、本来は非常に侵攻性であり、前立腺特異性抗原を導かないので、腺癌を検出するよりもいくらか困難である。これは、通常、それが検出が高度な形態に達したことを意味する。
【００１２】
別の実施態様において、本発明は、対象の前立腺扁平上皮癌の存在を決定することにも関する。これは非腺癌であり、小細胞癌のように、前立腺扁平上皮癌が存在する場合は、前立腺特異性抗原の増加はない。扁平上皮癌は、本来は非常に侵攻性である。
【００１３】
本発明も、前立腺癌の他の（より珍しい）形態の検出に関する;これらは肉腫と移行上皮癌とを含む。後者は、めったに前立腺において発病せず、膀胱または尿道に存在する原発腫瘍に由来する。
【００１４】
本発明はヒト・ビリン・タンパク質（分子量９５，０００のカルシウムで調整されたアクチン結合タンパク質）に関し、それは位置２ｑ３５−ｑ３６を有するビリン遺伝子（ＶＩＬ）によってコードされている。胃腸と尿生殖路のいくつかの組織の単層上皮に非常に特異的に発現するタンパク質としてビリンは知られている。
【００１５】
組織または腫瘍試料のビリンの発現レベルを決定することは、本発明によれば免疫化学的に行われ、すなわち抗ビリン抗体を利用する。
【００１６】
「検出（detection）」、「検出（detect）」、「検出（detecting)」）は、本願明細書では「決定（determining）」、「決定（determination）」と交換可能に使用され、コントロールへの対象標準の有無にかかわらず定性的および／または定量的検出（測定レベル）を含んでおり、更にはコントロールへの対象標準の有無にかかわらず所与のタンパク質、特にビリンの存在、欠如または量の同定を意味する。「発現のレベル」は、分析した試料中に、タンパク質が発現していないOから、任意の検出可能な量までビリンが存在することを意味する。
【００１７】
本発明によれば、対象から取得された組織試料のビリンの存在はその組織試料が前立腺癌細胞を含むこと；試料中のビリンの欠如は、試料には前立腺癌細胞がないことを示唆する。
【００１８】
「抗体」なる用語は、本願明細書において使われる場合、免疫グロブリンまたはその部分を指し、出所、産生の方法及び他の特性を問わず、抗原結合部位を含む任意のポリペチドを含む。この用語は、例えば、ポリクローナル抗体、モノクローナル抗体、単一特異性抗体、多特異性抗体、ヒト化抗体、一本鎖抗体、キメラ抗体、合成抗体、組換え抗体、ハイブリッド抗体、突然変異抗体、及びＣＤＲ移植抗体を含む。抗体の部分は、抗原結合することができる任意の断片、例えばＦａｂ、Ｆ（ａｂ’）２、Ｆｖ、ｓｃＦｖを含むことができる。抗体の起源は、産生の方法にかかわりなくゲノム配列によって定義される。
【００１９】
ビリンの免疫学的検出は、上記の検出用の公知技術の任意の適切な方法を利用することによって行うことができる。例えば、イムノブロッティング、ＥＬＩＳＡ、免疫組織化学（ＩＨＣ）である。ある実施態様において、ビリンの発現はＩＨＣによって検出される。別の実施態様において、ビリンの発現は、例えば固体組織の細胞を含まない試料中で、例えば組織ホモジェネート、該ホモジェネートの細胞上清またはタンパク分画、あるいは上清中で、イムノブロッティングまたはＥＬＩＳＡによって検出される。
【００２０】
抗ビリン抗体は、当該分野の周知の手順に従って、産生することができるか、または抗体製品を購入することができる。選択された検出用アッセイの条件で、本発明のビリンに特異的に結合性することができる任意の市販の抗体、例えばマウス抗ビリン・モノクローナル抗体（Abcam社のクローン１２）、またはマウス抗ビリン・モノクローナル抗体（非コンジュゲート、BIOCARE MEDICAL社のクローン１Ｄ２Ｃ３）が、本発明のために使用することができる。ある実施態様において、本発明は、マウス抗ビリン・モノクローナル抗体（ＤＡＫＯ社のクローン１Ｄ２Ｃ３）に関する。
【００２１】
抗体は、ポリクローナル抗体、モノクローナル抗体、組換え抗体またはそのビリン結合性断片であってもよい。
【００２２】
抗体を産生するためのさまざまな技術は、Kohler and Milstein, (1975) Nature 256:495; Harlow and Lane, Antibodies: a Laboratory Manual, (1988) Cold Spring Harbor Press, Cold Spring Harbor, NY) に記載されており、引用により本願明細書に組み込まれる。組換え抗体分子の調製用の技術は、上記の文献、更には例えばEP 0623679；EP 0368684;及びEP 0436597に記載されている。抗体は、組換えにより又は合成的に産生されることができる。
抗体をコードする核酸は、ｃＤＮＡライブラリーからの分離されてもよい。抗体をコードする核酸は、ファージ・ライブラリーから単離されてもよい(参照、例えば McCafferty et al. 1990, Nature 348:552, Kang et al. 1991, Proc. Natl. Acad. Sci. USA 88:4363; EP0589877B1)。抗体をコードする核酸は、公知配列の遺伝子シャフリングによって得ることができる (Mark et al. 1992, Bio/Technol. 10:779)。抗体をコードする核酸は、インビボの組換えによって単離することができる (Waterhouse et al. 1993, Nucl. Acid Res. 21: 2265)。
【００２３】
ある実施態様において、抗体は、例えば、標識、すなわち検出可能な基質、又はハプテン、及び／又はポリマー（例えば、デキストランポリマー）をコンジュゲートして、誘導体化することができる。また、上記の誘導体化さえた抗体は、上記の生産者から市販されている。あるいは、抗体は、従来技術において周知の手順に従って、処理されて、標識または高分子をコンジュゲートされてもよい (参照、例えば Harlow E. and Lane D., Using Antibodies: A Laboratory Manual. (1999) Cold Spring Harbor Press, Cold Spring Harbor, NY)。
【００２４】
ＩＨＣによる抗原の検出に適している多数の製品は、ＥｎｖｉｓｉｏｎTM+（Ｄａｋｏ）、Powervision（登録商標）(Immunovision)、ＮＢＡTMキット（Zymed Laboratories Inc.）、HistoFine（登録商標）（ニチレイ社）である。
【００２５】
固体組織または腫瘍（例えば前立腺）の試料は、生の生検試料であってもよい。保存組織、例えばホルマリン固定されパラフィンに包埋された組織であってもよい。「試料」なる用語は、前立腺癌の有無にかかわらず対象から得られた様々な試料種類を含む。開示の方法で役立つ典型的な試料は、固体の組織試料であって、生検標本又は組織培養又はそれに由来する細胞、及びその継代、細胞上清、細胞ライセートなどを含むが、それらに限定されるものではない。
【００２６】
特定であるが、非限定な例は、前立腺生検および／または前立腺切除組織、又は前立腺細胞試料（例えば、前立腺のマッサージによって、尿中で、または細針吸引液で収集することができる）である。上記のように、試料は新しいものであるか、（例えば、保存を目的として）採取後、処置されたものであってもよい。いくつかの例において、処置された試料は固定され（例えば、ホルマリン固定）および／または、ロウ（例えばパラフィン）に埋め込まれてもよい。マウントした細胞と組織調製のための固定液は当該分野でよく知られており、９５％アルコール・ブアン固定液；  ９５％アルコール固定液；  Ｂ５固定液、ブアン固定液、ホルマリン固定液、カルノフスキー固定液（グルタールアルデヒド））、ハートマン固定液、Ｈｏｌｌａｎｄｅ固定液、オース溶液（２クロム酸固定液）、及びツェンケル固定液（参照、例えばCarson, Histotechology: A Self-Instructional Text, Chicago:ASCP Press, 1997)）が挙げられるが、これに限定されるものではない。いくつかの例において、試料（又はその分画）は、固体支持体に存在する。
【００２７】
開示の方法において役立つ固体支持体は、生物学的試料を支えるだけでなく、場合により、しかし有利には、試料中の関心のタンパク質を検出するために便利である必要がある。
例示的な支持体には、顕微鏡用スライド（例えば、ガラスの顕微鏡用スライドまたはプラスチックの顕微鏡用スライド）、カバーグラス（例えば、ガラス・カバーグラスまたはプラスチック・カバーグラス）、組織培養用のシャーレ、マルチ・ウェルプレート、メンブレン（例えば、ニトロセルロースまたはポリフッ化ビニリデン（ＰＶＤＦ））またはBIACORE（登録商標）チップが含まれる。
【００２８】
組織試料は、当業者に知られている標準的方法に従って、対象から得ることができる。
【００２９】
したがって、ある実施態様において、本発明は、対象から得られた前立腺組織試料中のビリンの発現をインビトロ免疫化学的に検出することを含む、前記対象の原発性前立腺癌を診断する方法に関する。別の実施態様において、本発明は、前記対象から得られた固体組織または腫瘍の試料のビリンの発現をインビトロ免疫化学的に検出することを含んで成る、前記対象の前立腺起源のの転移癌を診断する方法に関する。
【００３０】
本発明の別の態様は、根治的前立腺切除術か又は非侵襲性治療的処置かについて、対象に関して選択する方法であって、彼らの前立腺試料の細胞におけるビリンの発現のレベルによって分類し、前記発現レベルは、インビトロで免疫化学的に決定される方法に関する。
ビリンの発現レベルに関する情報（例えば前立腺試料のビリンの欠如または存在）は、腫瘍のタイプが、例えばそこのものか転移癌であるか、癌のタイプ、疾患の段階を同定することの助けになり、したがって対象を治療する方法を決定することの助けとなる。
【００３１】
本発明のビリンの発現を検出する方法は、マニュアルで行われてもよいし、または一つ以上の自動ステップを含んでもよい。
【００３２】
本発明は、また、前立腺癌バイオマーカー・パネルのメンバーとしてのビリンの使用に関し、前記パネルは、ビリンと以下のタンパク質のうちの少なくとも１つを備えている：前立腺特異的抗原（ＰＳＡ）、前立腺特異的酸性ホスファターゼ（ＰＳＡＰ）、ｐ６３、α-メチルアシル-コエンザイム-Aラセマーゼ（ＡＭＡＣＲ）、Ｐ５０４Ｓ、サイトケラチン５／６（ＣＫ５／６）、高分子量サイトケラチン３４βＥ１２（３４ｂＥ−１２）、クロモグラニン、ＣＤＸ−２、サイトケラチン7（ＣＫ７）及びサイトケラチン２０（ＣＫ２０）。ある実施態様において、パネルは、少なくとも３つのバイオマーカーを含み、第１のバイオマーカーはビリンであると、第２はＰＳＡである。ある実施態様において、パネルは、ビリン、ＰＳＡ、ＰＳＡＰ及びＡＭＡＣＲを含む少なくとも４つの前立腺癌バイオマーカーを含む。ある実施態様において、パネルは、ビリン、ＰＳＡ、ＰＳＡＰ、ＡＭＡＣＲ及びＰ５０４Ｓを含む少なくとも５つの前立腺癌バイオマーカーを含む。
【００３３】
基底細胞関連マーカーｐ６３又は高分子量サイトケラチン３４βＥ１２又はサイトケラチン５／６、あるいはｐ６３と高分子量サイトケラチン３４βＥ１２又はサイトケラチン５／６と前立腺癌特異的マーカーα−メチルアシル−コエンザイム−Ａ（ｃｏＡ）ラセマーゼとを含有するカクテルは、単独でまたは組合わせて、診断上の又は定性的又は定量的特徴を欠いているか、又は変わった形態パターン（例えば、偽過形成、萎縮性の））を有するか、又は治療前において、前立腺癌を確認するために有用な補助的手段である。基底細胞関連マーカーの陰性染色とα-メチルアシル-コエンザイム−Ａ（ｃｏＡ）ラセマーゼの陽性の組合せは、適切な形態的状況において、悪性の診断を支持する。抗体カクテル中の二重クロモゲン基底細胞関連マーカー（ｐ６３［核]と高分子量サイトケラチン３４βＥ１２／サイトケラチン５／６［細胞質］）とα−メチルアシルｃｏＡラセマーゼは、染色が１つのスライドで実施できるので、評価を簡便にし、興味の病巣部分の表示のロスを最小限にして、基底細胞層についてより高い感受性を提供する。治療後において、パンサイトケラチンは、微妙に治療された癌細胞の検出を容易にする。前立腺特異的抗原と前立腺酸性ホスファターゼ・マーカーは、前立腺を含む第２の悪性病変（例えば尿路上皮癌）を除外する際に有用であり、場合により非前立腺の良性の模倣物（例えば腎性腺腫、中腎腺過形成とクーパー腺）を除外する際に有用である。したがって、ビリンを含む前立腺癌同定用のバイオマーカーのパネルは、癌診断において、特に前立腺癌診断法において、例えば原発性前立腺腫瘍と転移性前立腺腫瘍を区別するために、悪性前立腺腫瘍と良性前立腺腫瘍を区別するために、前立腺癌の段階および／または変異体を検出するために、非常に有利である。したがって、ある実施態様において、本発明は、種類および／または腫瘍変異体によって、前立腺癌の対象を分類する方法に関する。
【００３４】
本発明の別の態様は、対象の前立腺癌の同定に、及び／又は前立腺癌変異体の検出に、及び／又はビリンの発現レベルと、場合により前立腺癌の他のタンパク質バイオマーカーの発現レベルと、場合により正常な前立腺細胞又は両性前立腺腫瘍（すなわち、非癌性）細胞のタンパク質バイオマーカーの発現レベルの検出による段階づけに役に立つ診断キットに関連する。本発明のキットは、ビリンに対する少なくとも一つの抗体及び場合により以下のタンパク質に対する少なくとも一つの抗体を含む：ＰＳＡ、ＰＳＡＰ、ＡＭＡＣＲ、ｐ６３、Ｐ５０４Ｓ、ＣＫ５／６、３４βＥ−１２、クロモグラニン、ＣＤＸ−２、ＣＫ７及びＣＫ２０。ある実施態様において、キットは、抗ビリン、ＰＳＡ及びＣＤＸ−２またはＣＫ２０抗体を含む。別の実施態様において、キットは、抗ビリン、ＰＳＡＰ及びＣＤＸ−２またはＣＫ２０を含む。ある実施態様において、キットは、抗ビリン、ＡＭＡＣＲ及びＣＤＸ−２またはＣＫ２０を含んでもよい。いくつかの実施態様において、後者のキットは、ｐ６３および／またはＰ５０４Ｓを更に含んでもよい。
【００３５】
ある態様では、本発明は、免疫化学的に少なくとも２つの前立腺癌特異的なバイオマーカーの発現を検出することを含んで成り、前立腺腫瘍が転移であるか良性であるかどうかを決定することに関し、少なくとも２つのバイオマーカーの第１はビリンであり、第２はＰＳＡ、ＰＳＡＰまたはＡＭＡＣＲであり、後者のタンパク質に対する一次抗体を含んでいるキットを用いて前記腫瘍の試料中で検出することを含む。
【００３６】
したがって、本発明は、少なくとも２つの異なる一次抗体含んでなり、１つの抗体がビリンに特異的結合できる抗体である、数多くの異なるキットに関する。本発明のキットは、さまざまな免疫学的な適用（例えばＩＨＣ、イムノブロッティング、ＥＬＩＳＡなど）に適している抗体を含んでもよい。キットは、本発明のために役立つ付加的な試薬、例えば標識された抗体、ポリマー抗体コンジュゲート、第２抗体、バッファー等を場合により含むことができる。
【実施例】
【００３７】
以下は、本発明の例示的、非限定的実施例である。前立腺腫瘍の組織試料の免疫組織化学的染色。
【００３８】
器材：ダコ・オートステイナー・プラス及びＰＴモジュール。
【００３９】
標本：良性前立腺過形成（８症例）及び前立腺腺癌（１４症例）
【００４０】
試薬
１．  抗体−ビリン、ＣＤＸ−２、ＰＳＡ、クロモグラニン−Ａ、ＣＫ７、ＣＫ２０、ＣＫ５／６、ＨＭＷＣＫ（３４βＥ１２）及びＰ５０４ｓ（全てダコ製）；ビリン（クローンCWWB1、Vector Laboratoies, Inc., CA）。
２．  抗原回復液（ダコ、Cat. No. S2367）；抗体希釈剤（ダコ、Cat. No. S0809）、ペルオキシダーゼ阻害試薬（ダコ、Cat. No. S2001）；二重内因性酵素ブロック（ダコ、Cat. No.2009）。
【００４１】
ＩＨＣプロトコル：
- ＰＴモジュールにおける抗原回復
- ６５から９７℃で１５分（暖める時間）
- ９７℃で２０分
- ８２℃に２０分冷却
- ６５℃に１５分冷却
- オートステイナー・プラスのプロトコル：
- ペルオキシダーゼ・ブロック５分
- 一次抗体２０分
- 視覚化システム- フレックス  ２０分
- クロモゲンＤＡＢ＋  １０分
-ヘマトキシリン ５分
【００４２】
実験設計：
前立腺腺癌の１４症例と良性前立腺過形成（ＢＰＨ）の８症例の試料は、ダコ内部の組織バンクから選択された。組織切片はＰＴリンク・モジュールにおいて９７℃でダコの標的回収溶液に供して、ＩＨＣ解析はダコ・オートステイナー・プラス機器においてダコＲＴＵと混合した抗体を使用して実施した。ビリン、クロモグラニンＡ、及び３４βＥ１２とＣＫ５／６とＰ５０４Ｓ抗体との混合を使用した免疫組織化学テストを、全２２症例で実施した。
全てのビリンが陽性のケースでは、ＰＳＡ、ＣＤＸ−２、ＣＫ７及びＣＫ２０からなるバイオマーカーのディファレンシャル・パネルを、次に新生細胞が転移性結腸腺癌のものか、前立腺起源かを決定するために使用した。
【００４３】
結果：
陽性のビリン染色（クローン１Ｄ２  Ｃ３、ダコ 、Cat. No.3637）は、前立腺腺癌由来の全ての腫瘍細胞において観察された。また、これらの腫瘍細胞もＰＳＡとＰ５０４Ｓのための陽性の免疫染色を示したが、それらはＣＤＸ−２、ＣＫ７、ＣＫ２０、３４βＥ１２、ＣＫ５／６とクロモグラニンＡが陰性だった。また、少数の陽性のビリン細胞は、（８症例の）３症例のＢＰＨで正常及び過形成腺域において観察された。
【００４４】
また、別のビリン抗体（クローンCWWB1、Vector Laboratories）を使用しているＩＨＣ染色は、この研究で使用した前立腺癌試料ではビリンが陽性だった。ビリン、ＣＤＸ-２及びＰＳＡのためのＩＨＣ染色の結果は、図１に示される。
【００４５】
考察と結論：
ビリンは、前立腺腺癌で発現する。ビリンが着色された細胞における陽性ＰＳＡ染色は、ビリンが染色された腫瘍細胞の前立腺起源を確認するものであり、その細胞が転移性結腸癌起源であることを除外する；これはＣＤＸ-２とＣＫ２０の陰性染色によっても確認される。前立腺癌におけるビリンの発現の状態は、診断上の目的又は治療的な目的のために、前立腺癌の対象をビリン陽性群及び陰性群に分類してもよい。
【図１】
0005616892.tif 000002